(57)【要約】【課題】  本発明の目的は、電動機において電工作業の作業性の向上、又は、信頼性を高めることを目的とする。【解決手段】  同一スロット内における異相間の絶縁部とスロット開口部のコイルの飛び出しを低減し、スロット開口部４０の絶縁を行う絶縁部とコイルの極間の渡り線やリード線を支持するための支持機構をコイルの巻き線の出るコイル端部に備える絶縁部材を挿入することにより、電工作業の作業性を上げること、又は絶縁性の信頼性を従来よりも向上させる。絶縁部材の材質をＰＰＳ，ＰＢＴ、又はＬＣＰの材質を用いることにより、一体構造の絶縁部材が容易に成形できる。【選択図】  図１
2007181313.tif 000002
【特許請求の範囲】
【請求項１】
鉄心部にコイルを挿入するスロットを備え、
同一スロット内に異なる２相のコイルが設けられる巻線構造の電動機固定子において、
異なる相の前記コイルとの間に絶縁部材を設け、
前記コイルが前記電動機固定子の内側に向かって倒れることを低減するコイル支持部材を前記絶縁部材の上部に設けることを特徴とする電動機固定子。
【請求項２】
請求項１に記載の電動機固定子において、
前記コイルからの線材を支持する線材支持部を設けることを特徴とする電動機固定子。
【請求項３】
請求項１に記載の電動機固定子において、
絶縁部材の素材をＰＰＳ、ＰＢＴ、又は、ＬＣＰとしたことを特徴とする電動機固定子。
【請求項４】
鉄心部にコイルを挿入するスロットを備え、
同一スロット内に異なる２相のコイルが設けられる巻線構造の電動機固定子と、
前記電動機固定子の内部に設ける回転子と
を有する電動機において、
異なる相のコイルとの間に絶縁部材を設け、
前記コイルが前記電動機固定子の内側に向かって倒れることを低減するコイル支持部材を該絶縁部材の上部に設けた電動機固定子を有することを特徴とする電動機。
【発明の詳細な説明】
【技術分野】
【０００１】
本発明は、多相、多極の電動機を提供する技術に関する。
【背景技術】
【０００２】
電動機の固定子のスロット内の構造に関しては特許文献１に記載されたものがある。
【０００３】
【特許文献１】特開２００４−７２８５７号公報(第３−４頁、図１、第６頁、図９)
【発明の開示】
【発明が解決しようとする課題】
【０００４】
本発明は、電動機の固定子において複数の巻き線端末（コイル足）があり、また、同一スロット内に異なる２相のコイルが挿入される電動機の固定子のスロット内の巻き線において、相間絶縁と、渡り線やリード線の取り回しを行い易くすること、また、絶縁の信頼性を高めることを課題とする。
【課題を解決するための手段】
【０００５】
電動機の特性を向上させるためには、スロット内のコイル占有率を高める必要がある。しかしながら、コイルの１本辺りの断面積を上げると、巻き線作業性が悪化し、場合によっては巻き線そのものが出来なくなる。
【０００６】
故に、コイル１本あたりの断面積を上げず、複数本の断面積の小さなコイルで巻き線を行われることがある。しかしながら、コイルからのリード線等が複数出る巻き線構造の固定子では、スロット内の異相間の絶縁、極間の渡り線、リード線の処理が煩雑となる。
【０００７】
これに対し、固定子のスロット内の異相間とスロット開口部のコイル押さえてコイルを支持することと、コイル端部でのコイルの取りまわしを支持する構造を一体とした絶縁部材を設けるようにする。
【０００８】
また、当該絶縁部材には、コイルが回転子に向かって、倒れ込むのを防止する部分を設けることで、コイルの形状を整えるようにもする。
【０００９】
当該絶縁部材を設けることにより、固定子のスロットへの巻き線の作業性を向上させること、また、コイル、渡り線やリード線等の絶縁性について、信頼性の向上が容易となる。
【発明の効果】
【００１０】
上述のように、本発明によれば、従来よりも信頼性を向上させた電動機を提供することができるものとなる。
【発明を実施するための最良の形態】
【００１１】
本発明の実施例を図１〜図３を用いて詳細に説明する。
【００１２】
図１は本発明の実施例である絶縁部材を設けた固定子を説明する図である。
【００１３】
図１で、複数のティース７０の間にスロット３０があり、当該スロット３０には、巻き線を巻いて、コイル５０が設けられている。このコイル５０からは、渡り線１０が出ており、他の渡り線１０や、リード線等を含め、固定子での配線が行われる。また、ティース７０の間には、スロット開口部４０がある。
【００１４】
この図１において、隣り合うコイル５０の間に、本実施例の絶縁部材６０が設けられる。また、絶縁部材６０は、固定子の内側に向かって、即ち、回転子の方に向かって、コイル５０が倒れる現象の発生を低減、防止する部材であるコイル支持部材２０が設けられる。
【００１５】
同一スロット内における異相間の絶縁部とスロット開口部４０のコイルの飛び出しを抑制しスロット開口部４０の絶縁を行う絶縁部とコイルの極間の渡り線やリード線を支持するため支持機構をコイル足の出るコイル端部に備える絶縁部材を挿入することにより、電工作業の作業性を上げること、又は絶縁の信頼性を図ることが容易にできる。
【００１６】
図２は図１の絶縁部材６０の形状を説明する図である。図２で、絶縁部材６０の幅をＴとし、コイル支持部材２０が有する図２で縦方向に長い部分をコイル支持部材の胴体部２５とし、この幅をＷとする。
【００１７】
また、図３は、図１、図２の絶縁部材６０とスロット３０との関係を示す図である。図３では、スロット３０の内部にコイルも巻き線が巻かれていること、そして、異相間の絶縁を絶縁部材６０が図っていることを例示している。なお、図３で、ストッロ開口部４０の幅をＤとすると、絶縁部材６０の幅Ｔ、コイル支持部材の胴体部２５の幅Ｗとの間には、次の(数１)の関係がある。
【００１８】
Ｗ  ＞  Ｄ  ＞  Ｔ          (数１)
この(数１)の関係があることで、スロット３０に内部のコイルがスロット開口部４０からスロット３０外部に出ること無いようにする、若しくは、困難と出来るようになる。
【００１９】
コイルは、コイル支持部材の胴体部２５にて、スロット開口部４０から出ることが困難となり、また、コイル支持部材の胴体部２５の幅Ｗが、コイル開口部４０の幅Ｄよりも大きいので、コイル支持部材の胴体部２５もスロット開口部４０から外部に出ること無いようにする、若しくは、困難と出来るようになる。
【００２０】
また、図４は、本発明の別の実施例を説明する図である。この実施例では、線材支持部１００を設けているのが特徴である。この線材支持部１００は、複数のコイル５０からの渡り線１０や、リード線等の固定子を構成する線材等を支持することも出来るので、巻き線、配線の作業性を向上させることが可能となる。
【００２１】
更に、図５、図６は、線材支持部１００の他の実施例を示す図である。図５、図６では、線材支持部１００に仕切り部材が設けられており、例えば、この実施例では、３相の巻き線や、渡り線や、リード線等を適宜、相毎に纏めることが可能となる。但し、図５、図６で、３つに仕切るように２つの仕切り部材を設けているが、これに限定されるものではなく、必要に応じて、複数設けても良い。
【００２２】
また、スロット内のコイルを異相のコイル間とスロット開口の両面から鉄心に押し付けることから、コイルに発生した熱を効果的に鉄心部から放熱することができる。このことから、コイルの放熱性も従来に比較して、向上させることが可能となる。
【００２３】
なお、絶縁部材の材質をＰＰＳ，ＰＢＴ、又はＬＣＰの材質を用いることにより、一体構造の絶縁部材が容易に成形できる。また、この素材を用いることで、例えばフロン冷凍機のような冷媒による絶縁部材の劣化に耐えられる電動機を提供できると共に、適度な絶縁部材の強度が確保でき、絶縁部材のスロット内の挿入が容易となる。
【図面の簡単な説明】
【００２４】
【図１】本発明の実施例による電動機の固定子の図(写真)
【図２】本発明の実施例の絶縁部材の図
【図３】本発明の実施例の絶縁部材とスロットとの関係を説明する図
【図４】本発明の別の実施例の絶縁部材の図
【図５】本発明の別の実施例の絶縁部材に設ける線材支持部の他の図
【図６】本発明の別の実施例の絶縁部材に設ける線材支持部の更に他の図
【符号の説明】
【００２５】
１０：渡り線、２０：コイル支持部材、２５：コイル支持部材の胴体部、３０：スロット、４０：スロット開口部、５０：コイル、６０：絶縁部材、７０：ティース、１００：線材支持部。
【図１】
2007181313.tif 000003
【図２】
2007181313.tif 000004
【図３】
2007181313.tif 000005
【図４】
2007181313.tif 000006
【図５】
2007181313.tif 000007
【図６】
2007181313.tif 000008